【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
被照明物に照射する光の照射口を有し、移動可能な可動支持体に支持させたヘッドと、
前記可動支持体に取り付けてなるＬＥＤ光源装置と、
前記ＬＥＤ光源装置から外部を通って前記ヘッドの照射口に光を導くフレキシブルな１又は複数の光ファイバとを具備することを特徴とする検査等に用いる照明装置。
【請求項２】
前記可動支持体とは別に設けた電源から電気ケーブルを介して前記ＬＥＤ光源装置に電力供給していることを特徴とする請求項１に記載の検査等に用いる照明装置。
【請求項３】
前記光源装置が前記照射口の近傍に配設されていることを特徴とする請求項１又は２に記載の検査等に用いる照明装置。
【請求項４】
光ファイバのヘッド側先端にレンズを取り付けていることを特徴とする請求項１〜３のいずれか１項に記載の検査等に用いる照明装置。
【請求項５】
被照明物に照射する光の照射口を有し、移動可能な可動支持体に支持させたヘッドユニットと、前記可動支持体又は前記照射口の近傍に配設されたＬＥＤ光源装置と、を有する検査等に用いる照明装置であって、
前記ＬＥＤ光源装置の光出射面に対向するようにした受光端からヘッドユニット本体内まで延びる多数本の光ファイバーを結束・収容したファイバーケーブルと、
前記ヘッドユニット本体内において同本体の後端から導入された多数本の光ファイバーの先端部の結束状態を解き同一平面内において順次隣接させて各光ファイバーの光出射端を横一線に保持した光ファイバー整列・保持部材と、
横一線に整列した前記光ファイバーの光出射端から出た光の帯を実質的な平行光にするための第一レンズ及び前記第一レンズから出た光をより細長い光の帯から成るライン光となるように集束させるための第二レンズからなり前記ヘッドユニット本体の前端部に装着された一対のレンズと、
を備えたことを特徴とする検査等に用いる照明装置。
【請求項６】
前記光ファイバー整列・保持部材を、前記ヘッドユニット本体に対し、前後方向において位置調整自在に取り付けたことを特徴とする請求項５に記載の検査等に用いる照明装置。
【請求項７】
前記ライン光のライン方向における輝度分布を均一化するためのレンチキュラースクリーンを、前記ヘッドユニット本体の前端部における前記一対のレンズ間の任意の位置又は前記第二レンズの前方に配置したことを特徴とする請求項５又は６に記載の検査等に用いる照明装置。
【請求項８】
前記多数本のファイバーの横一線に整列した光出射端の左右両端から前記一対のレンズの左右両端までを覆う前記ヘッドユニット本体の両側内壁面を平面鏡としたことを特徴とする請求項５〜７のいずれか１項に記載の検査等に用いる照明装置。
【請求項９】
複数個の前記照明ユニットのヘッドユニットを並列配置することにより、それらユニットの合計幅に対応する長さの連続ライン光照射パターンを形成できるようにしたことを特徴とする請求項５〜８のいずれか１項に記載の検査等に用いる照明装置。
【請求項１０】
被照明物に照射する光の照射口を有し、移動可能な可動支持体に支持させたヘッドユニットと、前記可動支持体又は前記照射口の近傍に配設されたＬＥＤ光源装置と、を有する検査等に用いる照明装置であって、
前記ＬＥＤ光源装置の光出射面に対向するようにした受光端からヘッドユニット本体内まで延びる多数本の光ファイバーを結束・収容したファイバーケーブルと、
前記ヘッドユニット本体の後端から同本体内に導入された多数本の光ファイバーの先端部の結束状態を解き同一平面内において順次隣接させて各光ファイバーの光出射端を横一線に保持した光ファイバー整列・保持部材であって、前記ヘッドユニット本体内で前後方向に位置調整可能とされたものと、
横一線に整列した前記光ファイバーの出射端から出た光の帯を実質的な平行光にするための第一レンズ及び前記第一レンズから出た光をより細長い光の帯から成るライン光となるように集束させるための第二レンズからなり前記ヘッドユニット本体の前端部に装着された一対のレンズと、
前記ヘッドユニット本体の前端部における前記一対のレンズ間の任意の位置又は前記第二レンズの前方に配置した、前記ライン光のライン方向における輝度分布を均一化するためのレンチキュラースクリーンと、
前記多数本の光ファイバーの横一線に整列した光出射端の左右両端から前記一対のレンズの左右両端までを覆うように前記ヘッドユニット本体の両側内壁面に形成された平面鏡と、
を備えたことを特徴とする検査等に用いる照明装置。
【手続補正２】
【補正対象書類名】明細書
【補正対象項目名】００３２
【補正方法】変更
【補正の内容】
【００３２】
一方のＬＥＤ光源装置５Ａは、図２に示すように、基板５１上に配設したＬＥＤ５２と、このＬＥＤ５２から発される光を集光するためのレンズ機構５４と、このレンズ機構５４の集光部５４Ａから出た光を光ファイバ束７Ａに導く光出力コネクタ５５とを備えたものである。ＬＥＤ５２を支持する基板５１には電気ケーブル４が接続されて筐体５３の側面から延出させてある。レンズ機構５４は対をなすレンズを直列に配置してなるもので、ＬＥＤ５２と光出力コネクタ５５との間に介在させてある。そして、ＬＥＤ５２側に配置した第１のレンズで、まずＬＥＤ５２から出た光を平行にし、第２のレンズでその平行光を集光する。本実施形態では、円錐状のレンズ５４１と集光用凸レンズ５４２を対向するように配置している。そして、前記ＬＥＤ５２の発光面を前記第１のレンズ５４１の基端部に埋設して取り付けるとともに、第２のレンズ５４２の先端側を、ＬＥＤ５２からの光が収束する集光部５４Ａとしている。
【手続補正３】
【補正対象書類名】明細書
【補正対象項目名】００３３
【補正方法】変更
【補正の内容】
【００３３】
他方のＬＥＤ光源装置５Ｂは、図３、図４に示すように、前記ＬＥＤ５２Ａを３つ並列に配設してなるものであり、それに応じて基板５１、レンズ機構５４も３つ有している。しかして、光出力コネクタ５５は、前記一方の光源装置５Ａのものと共通する形状をなし、１つのみが設けられている。各レンズ機構５４の集光部５４Ａには、内部光ファイバ束５６の一端部が密に束ねられてそれぞれ取り付けられており、それら内部光ファイバ束５６の他端部は一体にかつランダムに密に束ねて、この光出力コネクタ５５に取り付けてある。
【手続補正４】
【補正対象書類名】明細書
【補正対象項目名】００３６
【補正方法】変更
【補正の内容】
【００３６】
一方のヘッド６Ａは、図６〜図８に示すように、前記一方のＬＥＤ光源装置５Ａから延びる光ファイバ束７Ａの先端部を、内部で分離させ各光ファイバ７ａ毎に、間欠的にかつリング状になるように保持するものである。具体的にこのものは、各光ファイバ７ａの先端部を嵌め入れ保持するファイバ保持孔Ｆ１を等間隔でリング状に並べ設けたリング状のヘッド本体６Ａ１と、ファイバ保持孔Ｆ１と重合する部位にボールレンズ９を保持するボールレンズ保持孔９ｃを並べ設けたリング状のレンズ押さえ板６Ａ２と、前記光導通管２１に取り付けるための円筒状取付部材６Ａ３を具備するもので、このヘッド本体６Ａ１にレンズ押さえ板６Ａ２を同軸となるようにねじ止めすることにより、各光ファイバ７Ａの先端に各ボールレンズ９が一度の工程で接触又は近接配置されるように構成してある。このヘッド６Ａは、図１に示すように、前記取付部材６Ａ３を利用して、前記光導通管２２の下端部に上下スライド可能に嵌着してある。そしてボールレンズ保持孔９ｃの下面開口を照射口６Ａａとして、下方に位置するワークＷに周囲上方から照明するようにしている。なお、各光ファイバ７ａの先端はボールレンズ９の最上端よりも若干外側に取り付けてあって、各光ファイバ７ａから出た光はボールレンズ９によって指向性が強くなるように屈折させられるとともに内方に曲がり、ワークＷの被照明部位に集合するようにしてある。
【手続補正５】
【補正対象書類名】明細書
【補正対象項目名】００３７
【補正方法】変更
【補正の内容】
【００３７】
前記他方のヘッド６Ｂは、図５に示すように、他方のＬＥＤ光源装置５Ｂから延びる光ファイバ束７Ｂの先端を密に束ねて保持する細長い円筒状をなすもので、その密に集合させた先端面から、このヘッド６Ｂの先端に形成した円形状の照射口６Ｂａを介して、光が射出されるようにしてある。このヘッド６Ｂは、図１に示すように、その照射口６Ｂａを前記光導通管２１の軸方向に直交する方向に向けた姿勢で、前記光導通管２１の上端部に取着してあって、照射口６ａから出た光が、光導通管２１内部に設けたハーフミラー等の光学部材を介して反射や屈折し、光導通管２１の軸に沿って下方に進み、その下端開口から射出されてワークＷを照明するように構成されている。
【手続補正６】
【補正対象書類名】明細書
【補正対象項目名】００５１
【補正方法】変更
【補正の内容】
【００５１】
多数本の光ファイバー７ａの先端部は、上下挟持板８０ａ、８０ｂにより隣接・保持された時点では、不規則に突出したままであり、ここで挟持板８０ａ、８０ｂの前端面とともに平面化処理される。この前端面か不規則に突出した光ファイバー７ａの先端部は、まず熱カッター等で前端面と同一面内において切断され、それらの切断面は研磨もしくはホットプレートを用いた熱処理により平滑化及び延展されて、上下挟持板８０ａ、８０ｂによるファイバー用スリット８０ｃの前端（図１６Ｂ）部内において、隣接ファイバーの切断面とほぼ完全に接触・連続し、きわめて細い光出射面を一体的に形成することになる。
【手続補正７】
【補正対象書類名】明細書
【補正対象項目名】図面の簡単な説明
【補正方法】変更
【補正の内容】
【図面の簡単な説明】
【図１】本発明の一実施形態における照明装置の全体斜視図。
【図２】同実施形態における一方のＬＥＤ光源装置の縦断面図及び背面図。
【図３】同実施形態における他方のＬＥＤ光源装置の一部破断させた正面図。
【図４】同実施形態における他方のＬＥＤ光源装置の一部破断させた側面図。
【図５】同実施形態における他方のヘッド装置の全体図。
【図６】同実施形態における一方のヘッド装置の縦断面図。
【図７】同実施形態における一方のヘッド装置の底面図。
【図８】同実施形態における一方のヘッド装置の部分断面図。
【図９】同実施形態における光ファイバの密に束ねた状態を示す端面図。
【図１０】本発明の他の実施形態におけるヘッド装置の縦断面図。
【図１１】同実施形態におけるヘッド装置の底面図。
【図１２】本発明のさらに他の実施形態におけるヘッド装置の縦断面図。
【図１３】本発明のさらに他の実施形態におけるライン検査用ヘッド装置の縦断面図。
【図１４】同実施形態におけるヘッド装置の横断面図。
【図１５】同実施形態におけるヘッド装置の底面図。
【図１６】図１３〜図１５に示したライン検査用のヘッド装置の具体的設計例を示す一部縦断斜視図（Ａ）及び、光ファイバー整列・保持部材の要部を反転して示した斜視図（Ｂ）である。
【図１７】図１６に示したライン検査用のヘッド装置の構造をより詳細に示す要部平面図（Ａ）、側断面図（Ｂ）、前端面図（Ｃ）及びシリンドリカルレンズを用いた場合の焦点ボケを示す略図（Ｄ）である。
【図１８】本発明のさらに他の実施形態におけるヘッド装置の縦断面図。
【手続補正８】
【補正対象書類名】明細書
【補正対象項目名】図２
【補正方法】変更
【補正の内容】
【図２】
2004003919.tif 000001
【手続補正９】
【補正対象書類名】明細書
【補正対象項目名】図８
【補正方法】変更
【補正の内容】
【図８】
2004003919.tif 000002